(57)【要約】【課題】ロケーション先の自動販売機で扉の開閉履歴を記憶し、メンテナンスを行った日時，担当したルートサービスマンを特定できるようにする。【解決手段】機内に商品収納ラック,貨幣処理装置,および制御システムを搭載し、その本体キャビネットの前面扉にハンドル操作式の主扉ロック，および補助扉ロックを装備した自動販売機において、補助扉ロックの施解錠実行履歴を日時データとともに記憶する履歴記憶手段を備えるものとし、その具体的な態様例として補助扉ロック１２をキーレスのリモコン操作方式としてそのリモコン操作器１５にＩＤ（識別符号）を付し、補助ロックの施解錠実行履歴，ＩＤデータを機内の主制御部に送信してその記憶部で日時データとともにで記憶させ、その記録からメンテナンス作業の日時，およびＩＤから作業を担当したルートサービスマンが誰であるかを特定できるようにする。【選択図】        図１
2005321905.tif 000002
【特許請求の範囲】
【請求項１】
機内に商品収納ラック,貨幣処理装置,およびその制御システムを搭載し、その本体キャビネットの前面扉にハンドル操作式の主扉ロック，および補助扉ロックを装備した自動販売機において、
前記補助扉ロックの施錠，解錠の実行履歴を日時データとともに記憶する履歴記憶手段を備えたことを特徴とする自動販売機。
【請求項２】
請求項１記載の自動販売機において、補助扉ロックをリモコン操作方式としてそのリモコン操作器にＩＤを付し、補助扉ロックの解錠，施錠時にその実行履歴ととともにリモコン操作器のＩＤデータを履歴記憶手段で記憶するようにしたことを特徴とする自動販売機。
【請求項３】
請求項１または２記載の自動販売機において、補助扉ロックの施解錠履歴，ＩＤデータを自動販売機の制御システムに送信し、その主制御部のメモリーに日時データとともに記憶するようにしたことを特徴とする自動販売機。
【発明の詳細な説明】
【技術分野】
【０００１】
本発明は、ロケーション先の自動販売機で行った商品補充，売上金回収などに関するメンテナンスの履歴を管理する機能を備えた自動販売機に関する。
【背景技術】
【０００２】
まず、缶，びん商品を販売する自動販売機を例にその構成を図２，図３に示す。図において、１は自動販売機の本体キャビネット、２はその前面外扉、３は断熱内扉、４はキャビネットの庫内に収設した商品収納ラック、５は商品搬出シュータ、６は外扉２に設けた商品取出口、７は庫内保冷用の冷凍機、８はディスプレイ室９に陳列した商品見本、１０は硬貨処理装置（コインメカニズム）、１０ａはコイン投入口、１１は紙幣識別装置（ビルバリデータ）、１１ａは紙幣投入口、１２はハンドル操作式の主扉ロック、１３自動販売機の防盗強化策として前記の主扉ロック１１と併設して外扉２に設けた補助扉ロックである。この補助扉ロック１３は主扉ロック１２と比べて小形，簡易なラッチ錠が使われ、その鎖錠方式としてはキー１４を直接差し込んで施解錠する一般の機械式錠のほか、リモコン操作器１５を使って施解錠するキーレス（鍵穴なし）方式の電気錠も多く採用されている。なお、１６は自動販売機の制御システムを装備したマスターボックスである。
【０００３】
上記の自動販売機に対して商品補充，売上金回収などのメンテナンス作業を行うには、ルートサービスマンが携帯の鍵を使って主扉ロック１２，および補助扉ロック１３を解錠して外扉２を開放した上で、機内の商品収納ラック４，貨幣処理装置にアクセスしてメンテナンス作業を進め、その作業終了後は再び外扉２を閉じて主扉ロック，補助扉ロックを施錠する。
【０００４】
ところで、ロケーション先に設置した自動販売機に対する商品補充，売上金回収などのメンテナンスは一般にルートサービスマンが巡回して行うようにしている。
【０００５】
この場合に、ルートサービスマンがロケーション先の自動販売機から回収した売上金を横領するなどの不正行為を防ぐ上からも、メンテナンスを行った日時，担当のルートサービスマンが誰であるかを把握しておき、万が一売上金回収のトラブルが生じた場合にその担当のルートサービスマンを特定できるようにしておくことが自動販売機の業務管理体制上で重要であるが、現在一般に行われている管理では、メンテナンスの作業履歴はルートサービスマン自身が作成した作業記録に頼っているのが現状である。
【０００６】
一方、自動販売機の管理の仕方として、自動販売機の機内に専用の鍵で解錠，施錠する扉ロックを備えたセキュリティーボックスを設けてここに硬貨，紙幣処理装置の金庫などを格納した上で、このセキュリティーボックスに対する扉ロックの解錠，施錠の実行履歴を鍵ごとに付したＩＤ（識別符号）のデータとともに記憶させる手段を備えた管理方法が提案されている（例えば、特許文献１参照）。
【特許文献１】特開２０００−９０３３８号公報
【発明の開示】
【発明が解決しようとする課題】
【０００７】
ところで、前記特許文献１に開示されている管理方法を自動販売機に適用するには、機内にセキュリティーボックスを新たに追加するなど、図２，図３で述べた既存の自動販売機に大幅な機内改造を加える必要があって、製品コストが嵩む問題がある。
【０００８】
そこで、本発明は自動販売機自体に大がかりな改造，コストを掛けずに、ロケーション先で行ったメンテナンスの履歴を扉ロックの解錠，施錠操作に関連付けて機内で記憶，蓄積し、必要時にそのデータを読み出してメンテナンスの実行日時，およびその作業担当のルートサービスマンが誰であるかを特定できるような機能の管理システムを提供することを目的とする。
【課題を解決するための手段】
【０００９】
上記目的を達成するために、本発明によれば、機内に商品収納ラック,貨幣処理装置,および制御システムを搭載し、その本体キャビネットの前面扉にハンドル操作式の主扉ロック，および補助扉ロックを装備した自動販売機において、
前記補助扉ロックの施解錠実行履歴を日時データとともに記憶する履歴記憶手段を備えるものとし、具体的には次記のような態様で実施することができる。
（１）前記の補助扉ロックをリモコン操作方式としてそのリモコン操作器にＩＤを付し、補助扉ロックの解錠，施錠時にその実行履歴ととともにリモコン操作器のＩＤデータを履歴記憶手段で記憶するようにする（請求項２）。
（２）前記補助扉ロックを解錠，施錠する操作で取得した施解錠履歴，およびＩＤデータを自動販売機の制御システム側に送信し、その主制御部のメモリーに日時データとともに記憶するようにする（請求項３）。
【発明の効果】
【００１０】
上記した管理システムでは、ロケーション先の自動販売機に対して行った商品補充，売上金回収などのメンテナンス、を、その自動販売機本体の扉を開閉する補助扉ロックの解錠，施錠動作に関連つけて記憶，蓄積するようにしている。
すなわち、自動販売機の外扉を開いて売上金を回収するには、必ず補助扉ロックを解錠しなければならないので、この補助扉ロックの解錠，施錠実行履歴，および扉ロック（リモート操作方式）の施解錠に使用したリモート操作器のＩＤデータを記憶させておくことにより、その記録からロケーション先の自動販売機に対して実際に行ったメンテナンスの日時，および担当のルートサービスマンが携帯したリモート操作器のＩＤを特定することができる。これにより、自動販売機の管理が容易となり、またルートサービスマンの売上金回収などに関する不正行為の予防効果にも期待できる。
【００１１】
しかも、図２で述べたように主扉ロックをバックアップする補助扉ロックは小形なラッチ錠が使われていることから、自動販売機自体に大幅な改造を加えることなしに、補助扉ロックに施解錠検出，ＩＤ読み取り，データ送信機能付きの扉ロックを採用し、これにデータを記憶しておくメモリーを組み合わせることで実施できる。
【発明を実施するための最良の形態】
【００１２】
以下、本発明の実施の形態を図１に示す管理システムに基づいて説明する。図示実施例では、図２に示した自動販売機の補助扉ロック１２にリモコン操作方式の電気錠を採用してそのリモコン操作器１５にはＩＤ（識別符号）を付し、該扉ロックの解錠，施錠時に取得したＩＤデータを機内の制御システム側に送信してその主制御部の記憶部（メモリー）に記憶させるようにしている。すなわち、補助扉ロック１２には解錠，施錠の検出，およびリモコン操作器１５のＩＤデータを読み取る機能を備え、取得したデータを自動販売機の制御システムの主制御部（図２におけるマスターボックス）に送信し、その記憶部にＩＤ，施解錠履歴を日時データとともに記憶させておき、必要時にその履歴データを履歴出力部より印字出力する。そして、前記記録から自動販売機に対して実際に行ったメンテナンスの日時，および担当のルートサービスマンが携帯したリモート操作器のＩＤを特定することができる。
【００１３】
なお、本発明は図示実施例に限定されるものではなく、応用実施例として例えば補助扉ロックに専用の履歴記憶部を付属させて実施することもできる。また、補助扉ロックが機械式扉ロックである場合でも、その解錠，施錠動作を電気信号に変えてその実行履歴を取得することが可能である。
【図面の簡単な説明】
【００１４】
【図１】本発明の実施例による管理システムを表すブロック図
【図２】自動販売機の正面図
【図３】図２の扉開放状態を表す外観図
【符号の説明】
【００１５】
１    本体キャビネット
２    外扉
４    商品収納ラック
１０    硬貨処理装置
１１    紙幣識別装置
１２    主扉ロック
１３    補助扉ロック
１４    扉ロックの鍵
１５    扉ロックのリモコン操作器
【図１】
2005321905.tif 000003
【図２】
2005321905.tif 000004
【図３】
2005321905.tif 000005